(57)【要約】【課題】壁際から水平面仕上げ材の端部の間に推奨寸法を持つ緩衝材を備えた収め部材を提案することを目的とする。【解決手段】垂直面仕上げ材１と水平面仕上げ材２の入隅部３ａに施工される収め部材Ａである。収め部材Ａは、水平面被覆部５と垂直面被覆部７と緩衝材１０とで構成されている。緩衝材１０は水平面被覆部５の基端部に接着され、水平面仕上げ材２の先端と緩衝材１０の先端との間には水平面仕上げ材２の端部Ｐの挿入代Ｘが設けられている。水平面仕上げ材２を施工すると、その端部Ｐが緩衝材１０に接触する。これにより非熟練作業者であっても自動的に端部Ｐと垂直面仕上げ材１との間には推奨隙間が設けられることになる。【選択図】図２
2016142004.tif 000002
【特許請求の範囲】
【請求項１】
壁面を構成する垂直面仕上げ材と下地材に敷設される水平面仕上げ材で構成される入隅部に施工される収め部材であって、
収め部材は、水平面仕上げ材の入隅部側の端部を被覆する水平面被覆部と、前記水平面被覆部の一方の面の端部に突設され、垂直面仕上げ材の入隅部側面を被覆する垂直面被覆部とで構成された部材本体と、
水平面仕上げ材の入隅部側の端部の挿入代を設けて、水平面被覆部の垂直面被覆部が突設された面と反対側の面に取り付けられた弾性を有する緩衝材とで構成されていることを特徴とする収め部材。
【請求項２】
壁面を構成する垂直面仕上げ材と下地材に敷設される水平面仕上げ材で構成される入隅部に施工される収め部材であって、
収め部材は、垂直面仕上げ材の入隅部側面を被覆する垂直面被覆部と、
敷設される水平面仕上げ材の厚みを越える高さを持ち、水平面仕上げ材の入隅部側の端部の挿入代を設けて垂直面被覆部に取り付けられ、前記入隅側端部を被覆する水平面被覆部と、
垂直面被覆部に取り付けられ、前記端部に接触又は近接して配設される弾性を有する緩衝材とで構成されることを特徴とする収め部材。
【請求項３】
垂直前面と水平上面とを有する垂直面仕上げ材と、前記垂直面仕上げ材の水平上面に合わせて設けられた下地材上に敷設された水平面仕上げ材とで構成される垂直面仕上げ材の出隅部に施工される収め部材であって、
収め部材は、垂直面仕上げ材の垂直前面を被覆する垂直面被覆部と、
垂直面被覆部の上端から垂直面仕上げ材の水平上面を越え、下地材の端部を覆うと共に下地材上に敷設された水平面仕上げ材の端面に突き合せ接合される水平面被覆部と、
垂直面被覆部と垂直面仕上げ材の垂直前面との間に配設される弾性を有する緩衝材とで構成されることを特徴とする収め部材。
【請求項４】
壁面を構成する垂直面仕上げ材と下地材に敷設される水平面仕上げ材で構成される入隅部における請求項１に記載の収め部材を用いた水平面仕上げ材の施工方法であって、
施工開始側の入隅部において、下地材から第１の収め部材の水平面被覆部までの高さを水平面仕上げ材の厚みを越える高さにして、第１の収め部材の垂直面被覆部を一方の垂直面仕上げ材の入隅部側面に取り付け、
次いで、第１の水平面仕上げ材の端部を水平面被覆部と下地材との間に挿入してその端部を緩衝材に当接させ、
敷設された第１の水平面仕上げ材に実結合しつつｎ−１番目の水平面仕上げ材まで下地材上に敷設し、
反対側である施工終わり側の垂直面仕上げ材と、ｎ−１番目の水平面仕上げ材の端面との間の長さを測定し、ｎ番目の水平面仕上げ材を切断して前記長さから第２の収め部材の緩衝材の幅を差し引いた長さとし、切断されて短寸となった水平面仕上げ材をｎ−１番目の水平面仕上げ材に実結合して下地材に敷設し、
然る後、前記水平面仕上げ材の切断端面と反対側の垂直面仕上げ材との間に第２の収め部材の緩衝材を挿入し、且つその垂直被覆部を反対側の垂直面仕上げ材取り付けることを特徴とする収め部材を用いた水平面仕上げ材の施工方法。
【請求項５】
壁面を構成する垂直面仕上げ材と下地材に敷設される水平面仕上げ材で構成される入隅部における請求項２に記載の収め部材を用いた水平面仕上げ材の施工方法であって、
水平面仕上げ材施工面の両端の入隅部において、収め部材の垂直面被覆部を垂直面仕上げ材にそれぞれ固着し、
１番目の水平面仕上げ材の端部を一方の入隅部に固着された垂直面被覆部の緩衝材に当接させて下地材上に敷設し、
続いて、一方の入隅部から他方の入隅部に向かって第１の水平面仕上げ材からｎ−１番目の水平面仕上げ材を実結合して下地材に敷設し、
反対側の垂直面仕上げ材と、ｎ−１番目の水平面仕上げ材の端面との間の長さＬを測定し、ｎ番目の水平面仕上げ材を切断して前記長さから第２の収め部材の緩衝材の幅を差し引いた長さとし、切断されて短寸となった水平面仕上げ材をｎ−１番目の水平面仕上げ材に実結合して下地材に敷設し、
然る後、両側の垂直被覆部に水平面被覆部をそれぞれ装着して両端の水平面仕上げ材の端部を水平面被覆部にて覆うことを特徴とする収め部材を用いた水平面仕上げ材の施工方法。
【請求項６】
壁面を構成する垂直面仕上げ材と下地材に敷設される水平面仕上げ材で構成される入隅部における請求項２に記載の収め部材を用いた水平面仕上げ材の施工方法であって、
水平面仕上げ材施工面の一方の入隅部に請求項２に記載の第１の収め部材の垂直面被覆部を垂直面仕上げ材に固着し、
１番目の水平面仕上げ材の端部を前記入隅部に固着された垂直面被覆部の緩衝材に当接させて下地材上に敷設し、
続いて、一方の入隅部から他方の入隅部に向かって第１の水平面仕上げ材からｎ−１番までの水平面仕上げ材を実結合して下地材に敷設し、
請求項２に記載の第２の収め部材の垂直面被覆部を反対側の垂直面仕上げ材に固着し、
反対側の垂直面仕上げ材と、ｎ−１番目の水平面仕上げ材の端面との間の長さを測定し、ｎ番目の水平面仕上げ材を切断して前記長さから第２の収め部材の緩衝材の幅を差し引いた長さとし、切断されて短寸となった水平面仕上げ材をｎ−１番目の水平面仕上げ材に実結合して下地材に敷設し、
然る後、両側の垂直被覆部に水平面被覆部をそれぞれ装着して両端の水平面仕上げ材の端部を水平面被覆部にて覆うことを特徴とする収め部材を用いた水平面仕上げ材の施工方法。
【請求項７】
垂直面仕上げ材の垂直前面及び水平上面と、前記水平上面に合わせて敷設された下地材の端部を覆うように請求項３に記載された収め部材を配置し、
緩衝材を垂直面仕上げ材の垂直前面に押圧しつつ下地材上に敷設された水平面仕上げ材の端部に収め部材の水平面被覆部の端部を突き合わせ接合することを特徴とする収め部材を用いた水平面仕上げ材の施工方法。
【発明の詳細な説明】
【技術分野】
【０００１】
本発明は、部屋や廊下など建物内の空間の壁材（以下、これを総称して垂直面仕上げ材という。）と、フローリング材或いは天井材（以下、これを総称して水平面仕上げ材という。）との隅部に施工される収め部材を用いて該施工隅部に、水平面仕上げ材の伸縮による水平面仕上げ材と収め部材の間に目隙が発生したり、施工された水平面仕上げ材の接続部分に突き上げが発生しないようにした収め部材及びその施工方法に関する。
【背景技術】
【０００２】
従来、フローリング材、特に、木質フローリング材は周囲の温度や湿度によって大きな伸縮を見せる。そのため、木質フローリング材を床面に施工した際には、施工後の吸放湿によるフローリング材の伸縮に対応するため、木質フローリング材の端部と壁面との間に５ｍｍ程度の隙間を設けることがフローリング製造業者によって推奨されている。
【０００３】
しかしながら、実際に施工する場合に推奨通りの隙間（以下、これを推奨隙間という。）を設けられるかどうかは、施工者の熟練度によって左右され、熟練度が不足する施工者の場合、この隙間が不揃いになりやすい。換言すれば、隙間を一定にするような精度の高い施工には高い熟練を必要としているため、施工者の熟練度によっては常時これを推奨範囲で設けることができない。隙間が小さい場合には、施工後にフローリング材が伸びてフローリング材同士の接続部分で突き上げが発生し、隙間が大きい場合にはフローリング材が収縮すると収め部材からフローリング材の端部が外れて収め部材とフローリング材の端部との間で目隙が生じるなどの不具合が発生する。
【０００４】
その点、特許文献１においては、幅木と見切り材を接続可能に構成して収め部材とし、この収め部材の見切り材の一部をフローリング材の端部を覆うように構成することにより、施工精度と熟練を要することなく、外観上見栄えよくフローリング材を施工することが可能となる幅木として用いられる収め部材が開示されている。
【先行技術文献】
【特許文献】
【０００５】
【特許文献１】特許第４０７８８６７号公報
【発明の概要】
【発明が解決しようとする課題】
【０００６】
しかしながら、幅木に見切り材を接続可能に構成した収め部材を用いたとしても、壁際から推奨隙間を客観的に測定する基準がないので、壁際からフローリング材の端部までの距離がバラバラになりやすい。非熟練者の場合は特にその傾向が強く、壁際からフローリング材の端部までの距離がバラバラでは実結合して広い面積で床又は天井に敷設された水平面仕上げ材の伸縮により水平面仕上げ材の端部が大きく移動して端部を隠すための見切り材から外れてしまう場合や、端部が壁際にぶつかって接続部分での突き上げが発生するおそれが大であり、壁際から推奨隙間を客観的に測定する基準がない現状では、このような不具合を解消することは確実ではない。
【０００７】
そこで、本発明では、壁際から水平面仕上げ材の端部の間に推奨寸法を持つ緩衝材を備えた収め部材を提案することを第１の目的とし、施工者が仮に非熟練者であったとしても、これを用いることにより、壁際から水平面仕上げ材の端部の間で常に推奨幅の隙間を設けることが出来る施工方法を提供することを第２の目的とする。
【課題を解決するための手段】
【０００８】
請求項１（図２〜７）は、壁面１４を構成する垂直面仕上げ材１と下地材１３に敷設される水平面仕上げ材２で構成される入隅部３ａに施工される収め部材Ａであって、
収め部材Ａは、水平面仕上げ材２の入隅部３ａ側の端部Ｐを被覆する水平面被覆部５と、前記水平面被覆部５の一方の面の端部に突設され、垂直面仕上げ材１の入隅部側面６を被覆する垂直面被覆部７とで構成された部材本体ａと、
水平面仕上げ材２の入隅部３ａ側の端部Ｐの挿入代Ｘを設けて、水平面被覆部５の垂直面被覆部７が突設された面と反対側の面に取り付けられた弾性を有する緩衝材１０とで構成されていることを特徴とする。
【０００９】
請求項２（図８）は、壁面１４を構成する垂直面仕上げ材１と下地材１３に敷設される水平面仕上げ材２で構成される入隅部３ａに施工される収め部材Ｂであって、
収め部材Ｂは、垂直面仕上げ材１の入隅部側面６を被覆する垂直面被覆部７と、
敷設された水平面仕上げ材２の厚みＴを越える高さＨを持ち、水平面仕上げ材２の入隅部３ａ側の端部Ｐの挿入代Ｘを設けて垂直面被覆部７に取り付けられ、前記入隅側端部２ｔを被覆する水平面被覆部５と、
垂直面被覆部７に取り付けられ、前記端部Ｐに接触又は近接して配設される弾性を有する緩衝材１０とで構成されることを特徴とする。
【００１０】
請求項３（図９）は、垂直前面１ｔと水平上面１ｓとを有する垂直面仕上げ材１と、前記垂直面仕上げ材１の水平上面１ｓに合わせて設けられた下地材１３上に敷設された水平面仕上げ材２とで構成される垂直面仕上げ材１の出隅部３ｂに施工される収め部材Ｃであって、
収め部材Ｃは、垂直面仕上げ材１の垂直前面１ｔを被覆する垂直面被覆部７と、
垂直面被覆部７の上端から垂直面仕上げ材１の水平上面１ｓを越え、下地材１３の端部Ｐを覆うと共に下地材１３上に敷設された水平面仕上げ材２の端面２ｚに突き合せ接合される水平面被覆部５と、
垂直面被覆部７と垂直面仕上げ材１の垂直前面１ｔとの間に配設される弾性を有する緩衝材１０とで構成されることを特徴とする。
【００１１】
請求項４は、壁面１４を構成する垂直面仕上げ材１と下地材１３に敷設される水平面仕上げ材２で構成される入隅部３ａにおける請求項１に記載の収め部材Ａを用いた水平面仕上げ材２の施工方法（図１）で、
施工開始側の入隅部３ａにおいて、下地材１３から第１の収め部材Ａａの水平面被覆部５までの高さＨを水平面仕上げ材２の厚みＴを越える高さにして、第１の収め部材Ａａの垂直面被覆部７を一方の垂直面仕上げ材１ａの入隅部側面６に取り付け、
次いで、第１の水平面仕上げ材２(1)の端部Ｐを水平面被覆部５と下地材１３との間に挿入してその端部Ｐを緩衝材１０に当接させ、
敷設された第１の水平面仕上げ材２(1)に実結合しつつｎ−１番目の水平面仕上げ材２(n-1)まで下地材１３上に敷設し、
反対側である施工終わり側の垂直面仕上げ材１ｂと、ｎ−１番目の水平面仕上げ材２(n-1)の端面ｔ(n-1)との間の長さＬを測定し、ｎ番目の水平面仕上げ材２(n)を切断して前記長さＬから第２の収め部材Ａｂの緩衝材１０の幅Ｗを差し引いた長さ（Ｌ−Ｗ）とし、切断されて短寸となった水平面仕上げ材２(n)をｎ−１番目の水平面仕上げ材２(n-1)に実結合して下地材１３に敷設し、
然る後、前記水平面仕上げ材２(n)の切断端面ｔｎと反対側の垂直面仕上げ材１ｂとの間に第２の収め部材Ａｂの緩衝材１０を挿入し、且つその垂直被覆部７を反対側の垂直面仕上げ材１ｂ取り付けることを特徴とする。
【００１２】
請求項５は、壁面１４を構成する垂直面仕上げ材１と下地材１３に敷設される水平面仕上げ材２で構成される入隅部３ａにおける請求項２に記載の収め部材Ｂを用いた水平面仕上げ材２の施工方法（図８）で、
水平面仕上げ材施工面の両端の入隅部３ａにおいて、請求項２に記載の収め部材Ｂの垂直面被覆部７を垂直面仕上げ材１にそれぞれ固着し、
１番目の水平面仕上げ材２(1)の端部Ｐを一方の入隅部３ａに固着された垂直面被覆部７の緩衝材１０に当接させて下地材１３上に敷設し、
続いて、一方の入隅部３ａから他方の入隅部３ａに向かって第１の水平面仕上げ材２(1) からｎ−１番までの水平面仕上げ材２(n-1)を実結合して下地材１３に敷設し、
反対側の垂直面仕上げ材１ｂと、ｎ−１番目の水平面仕上げ材２(n-1)の端面ｔ(n-1)との間の長さＬを測定し、ｎ番目の水平面仕上げ材２(n)を切断して前記長さＬから第２の収め部材Ａｂの緩衝材１０の幅Ｗを差し引いた長さ（Ｌ−Ｗ）とし、切断されて短寸となった水平面仕上げ材２(n)をｎ−１番目の水平面仕上げ材２(n-1)に実結合して下地材１３に敷設し、
然る後、両側の垂直被覆部７に水平面被覆部５をそれぞれ装着して両端の水平面仕上げ材２(1)・２(n)の端部Ｐを水平面被覆部５にて覆うことを特徴とする。
【００１３】
請求項６は、壁面１４を構成する垂直面仕上げ材１と下地材１３に敷設される水平面仕上げ材２で構成される入隅部３ａにおける請求項２に記載の収め部材Ｂを用いた水平面仕上げ材２の他の施工方法（図８）で、
水平面仕上げ材施工面の一方の入隅部３ａに請求項２に記載の第１の収め部材Ｂの垂直面被覆部７を垂直面仕上げ材１に固着し、
１番目の水平面仕上げ材２(1)の端部Ｐを前記入隅部３ａに固着された垂直面被覆部７の緩衝材１０に当接させて下地材１３上に敷設し、
続いて、一方の入隅部３ａから他方の入隅部３ａに向かって第１の水平面仕上げ材２(1) からｎ−１番までの水平面仕上げ材２(n-1)を実結合して下地材１３に敷設し、
反対側の垂直面仕上げ材１ｂに請求項２に記載の第２の収め部材Ｂの垂直面被覆部７をに固着し、
反対側の垂直面仕上げ材１ｂと、ｎ−１番目の水平面仕上げ材２(n-1)の端面ｔ(n-1)との間の長さＬを測定し、ｎ番目の水平面仕上げ材２(n)を切断して前記長さＬから第２の収め部材Ａｂの緩衝材１０の幅Ｗを差し引いた長さ（Ｌ−Ｗ）とし、切断されて短寸となった水平面仕上げ材２(n)をｎ−１番目の水平面仕上げ材２(n-1)に実結合して下地材１３に敷設し、
然る後、両側の垂直被覆部７に水平面被覆部５をそれぞれ装着して両端の水平面仕上げ材２(1)・２(n)の端部Ｐを水平面被覆部５にて覆うことを特徴とする。
【００１４】
請求項７は、請求項３に記載の収め部材Ｃを用いた水平面仕上げ材２の施工方法（図９）で、
垂直面仕上げ材１の垂直前面１ｔ及び水平上面１ｓと、前記水平上面１ｓに合わせて敷設された下地材１３の端部Ｐを覆うように請求項３に記載された収め部材Ｃを配置し、
緩衝材１０を垂直面仕上げ材１の垂直前面１ｔに押圧しつつ下地材１３上に敷設された水平面仕上げ材２の端部２ｚに収め部材Ｃの水平面被覆部５の端部５ａを突き合わせ接合することを特徴とする。
【発明の効果】
【００１５】
本発明の収め部材Ａ又はＢ（図２〜７）には、緩衝材１０が設けてあるので、緩衝材１０の幅Ｗを目安として加工を必要とする水平面仕上げ材２(n)を切断すれば、非熟練者であっても施工時に垂直面仕上げ材１と両端の水平面仕上げ材２との間に正確に推奨隙間を設けることが出来る。
【００１６】
そして、この緩衝材１０に接するように施工するだけで正確に推奨隙間を設けた水平面仕上げ材２の敷設が可能なので、作業の熟練度も殆ど不要となる。そして、水平面仕上げ材２の伸縮は、弾性を有する緩衝材１０が吸収するので、緩衝材１０による目隙きや突き上げが発生するようなことがない。
同様に、本発明の収め部材Ｃ（図９）にも緩衝材１０が存在するので、水平面仕上げ材２の伸縮は緩衝材１０が吸収することになり、この場合も収め部材Ｃの端部５ａと水平面仕上げ材２の端部２ｚに目隙や突き上げが生じるようなことがない。
【図面の簡単な説明】
【００１７】
【図１】本発明の施工例の平面図。
【図２】本発明に係る床側収め部材の第１実施例の施工状態を示す断面図。
【図３】本発明に係る天井側収め部材の第１実施例の施工状態を示す断面図。
【図４】本発明に係る床側収め部材の第２実施例の施工状態を示す断面図。
【図５】本発明に係る床側収め部材の第３実施例の施工状態を示す断面図。
【図６】本発明に係る床側収め部材の第４実施例の施工状態を示す断面図。
【図７】本発明に係る床側収め部材の第５実施例の施工状態を示す断面図。
【図８】本発明に係る床側収め部材の第６実施例の施工状態を示す断面図。
【図９】本発明に係る床側収め部材を上がり框に用いた場合の断面斜視図。
【発明を実施するための形態】
【００１８】
以下、図面に従って本発明の第１実施例を説明する。第２実施例以下は、第１実施例と同じ作用をなす部分には同じ符号を入れ、煩雑さを避けるためその説明を援用することでその記載を省略し、相違する部分のみを主として説明する。
【００１９】
収め部材Ａは、図１、２に示すように、壁面１４を構成する垂直面仕上げ材１と、フローリング材のような床材である水平面仕上げ材２で構成される入隅部３ａに施工される。施工される室内空間は、集合住宅や戸建て住宅（特に、コンクリート住宅）が考えられる。水平面仕上げ材２は第１実施例では、床材で、木質複層フローリング材、むく材（単層フローリング材）その他があり、例えば１尺×６尺の細長い長方形の板材で、周囲に実加工が施されている。コンクリートスラブや下地ボ―ドなどの下地材１３上に敷設される。
【００２０】
収め部材Ａは、水平面被覆部５と、水平面被覆部５の基部５ｂに一体にてＬ形に立設された垂直面被覆部７と、垂直面被覆部７が立設された基部５ｂの下面に、基部５ｂの端面に沿って全長に接着された緩衝材１０とで構成されている。そして、第１実施例では、水平面被覆部５と、これに一体成形されている垂直面被覆部７とで部材本体ａが構成されている。部材本体ａは長尺部材で、その材質は中密度繊維版（ＭＤＦ）、無垢材、押し出し成形樹脂などある。中密度繊維版（ＭＤＦ）や無垢材の場合は通常水平面被覆部５に垂直面被覆部７がＬ形に接着されて形成される。
【００２１】
水平面被覆部５の幅Ｄはフローリングメーカが推奨する隙間（これが緩衝再材１０の幅Ｗになる。）と水平面仕上げ材２の挿入代（５〜７ｍｍ）の和である。垂直面被覆部７の高さＳは通常の幅木の高さ程度で、水平面被覆部５の２０〜１４倍位（１００ｍｍ程度）である。
【００２２】
緩衝材１０は、発泡体など緩衝性（或いは弾性又は伸縮性）のある素材が使われ、その具体的な材質としては、ポリエチレン、ポリプロピレン、ポリビニルアルコール、ポリ塩化ビニル、ウレタンなどの樹脂発泡体又は不織布積層体などが挙げられる。緩衝材１０の幅Ｗはフローリングメーカが推奨する隙間に合わせて５〜７ｍｍ、緩衝材１０の高さＨは、水平面仕上げ材２の厚みＴに合わせてこれを若干超える高さで、具体的には５〜１２ｍｍとされる。概ね（５〜７ｍｍ）×（５〜１２ｍｍ）の断面四角形の長尺部材で、水平面被覆部５の下面に全長に亘って接着されている。
【００２３】
次に、第１実施例の施工方法であるが、リフォームの場合は、古いフローリング材と幅木を取り外した後、部屋の対向する一方の壁面１４を構成する垂直面仕上げ材１ａの入隅部３ａの下地材１３上に緩衝材１０を接するように置き、収め部材Ａを垂直面仕上げ材１ａに固定する。緩衝材１０の高さＨは、水平面仕上げ材２の厚みＴを考慮して、水平面仕上げ材２が差し込める高さに予め設定されているので、上記のように入隅部３ａの下地材１３上に緩衝材１０を接するように置くだけで必要高さが確保できる。なお、緩衝材１０の高さＨが水平面仕上げ材２の厚みＴより若干大き過ぎると、水平面仕上げ材２が差し込める高さまで緩衝材１０は圧縮され、その状態で固定される。新築の場合は、古いフローリング材や幅木の取り外し作業がないだけで、同様に施工する。施工開始側の収め部材１ａが固定されると、最初の水平面仕上げ材２(1)（これには、図１に示すような施工方法であれば、フルサイズの水平面仕上げ材２ａ、又はハーフサイズの水平面仕上げ材２ｆがある。）の端部Ｐが水平面被覆材５の下に差し込まれる。この時、端部Ｐは緩衝材１０に接することになり、自動的に推奨隙間（＝緩衝材１０の幅Ｗ）が設けられることになる。
【００２４】
続いて、水平面仕上げ材２をその長手方向にて下地材１３上に実結合させながら反対側の垂直面仕上げ材１ｂに向かって、第２、第３・・・第ｎ−１番目迄接続する。第ｎ番目の水平面仕上げ材２ｎの端部Ｐｎと、反対側の壁面の垂直面仕上げ材１ｂとの間にフルサイズの水平面仕上げ材２ａ（又は、ハーフサイズの水平面仕上げ材２ｆ）の全長に満たないスペースＧが残ることがある。
【００２５】
この場合、このスペースＧの長さＬから緩衝材１０の幅Ｗを引いた長さ（Ｌ−Ｗ）に第ｎ番目の水平面仕上げ材２を切断し、切断した第ｎ番目の水平面仕上げ材２ｎを上記スペースＬに嵌め込む。この場合、緩衝材１０のスペースＧの長さＬは施工現場で実際に見ながら測れるので、非熟練者でも間違いなく水平面仕上げ材２を長さ（Ｌ−Ｗ）に切断できる。水平面仕上げ材２ｎは前記スペースＧに配置され、隣接する水平面仕上げ材２(ｎ―１)に実接続される。これによってこの第ｎ番目の水平面仕上げ材２ｎの端面ｔｎと、これに近接する垂直面仕上げ材１ｂとの間にはこの部分に取り付けられる収め部材Ａの緩衝材１０の幅Ｗにほぼ等しい隙間、即ち推奨隙間が残される。
【００２６】
然る後、施工終わり側の垂直面仕上げ材１ｂに収め部材Ａｂを沿わせ、その緩衝材１０を前記隙間に挿入し、最後に収め部材Ａｂを垂直面仕上げ材１ｂに固定する。これにより、施工始め側と同様、施工終わり側においても、第ｎ番目の水平面仕上げ材２ｎの端面ｔｎ垂直面仕上げ材１ｂとの間に緩衝材１０が嵌まり込んで端面ｔｎが緩衝材１０に接する。ことになり、推奨隙間が両者間に確保される。
【００２７】
なお、水平面仕上げ材２の敷設方法は様々なものがあるが、図１に示すように、水平面仕上げ材２を千鳥に施工する場合は、フルサイズの水平面仕上げ材２とハーフサイズの水平面仕上げ材２ｆが幅方向に於いて交互に実接続される。
【００２８】
このように敷設された水平面仕上げ材２が温度や湿度の変化によって伸縮すると、その伸縮量が水平面仕上げ材２の端部Ｐ、Ｐｎに接して配設されている緩衝材１０が伸縮してこれを吸収し、水平面仕上げ材２の端部Ｐ、Ｐｎと、収め部材Ａａ、Ａｂの水平面被覆部５との間で目隙きが生じないし、敷設された水平面仕上げ材２の実接続部分で突き上げが生じるようなこともない。
【００２９】
上記の点は、図３（ａ）（ｂ）に示す天井パネルである水平面仕上げ材２と部屋の壁面１４を構成する垂直面仕上げ材１ａ、１ｂ及びその収め部材Ａａ、Ａｂとの関係でも同様である。
【００３０】
図４〜８は、収め部材Ａの変形例で、施工方法及びその奏する作用は第１実施例と同じである。以下、変形例を簡単に説明する。
【００３１】
図４は、収め部材Ａが断面四角で中空長尺材で、垂直仕上げ材１に固着される部分が垂直面被覆部７であり、水平面仕上げ材２を覆う部分が水平面被覆部５である。垂直面被覆部７から水平面被覆部５の先端に至る逆Ｌ形の部分が固定カバー部１９である。この場合、中空であるので内部に配線を通すことが出来る。
【００３２】
図５の収め部材Ａは中空の長尺材で、垂直仕上げ材１に固着される垂直面被覆部７と、水平面仕上げ材２を覆う水平面被覆部５の先端をつなぐ部分（この部分を固定カバー部１９とする。）が弧形に形成されている。同様に、内部に配線を通すことが出来る。
【００３３】
図６は、図５の弧形部分が垂直面被覆部７の上端の蝶番１６により開閉可能に取り付けられている。弧形部分を可動カバー２０とする。図７は、図６の可動カバー２０の内面側に差込片１７が突設されており、垂直面被覆部７の内面に設けた固着溝１８に挿脱されるようになっている。装着時には、差込片１７により収め部材Ａの内部が上下２段に分割される。この場合も内部に配線を通すことが出来る。
【００３４】
図８は収め部材Ａが垂直面被覆部７と、水平面被覆部５とが分割された例で、水平面被覆部５は、天板部５ｔと、天板部５ｔの先端から垂設された側面部５ｓとで構成され、側面部５ｓの内面から差込片１７が突設され、垂直面被覆部７の内面の固着溝１８に挿脱されるようになっている。枢着時には、天板部５ｔが垂直面被覆部７の上端に接してこれを覆うと同時に側面部５ｓの下端は挿入された水平面仕上げ材２ｎの端部Ｐｎを覆うようになっている。
【００３５】
図３〜８の中空収め部材Ａでは、上記のようにこの内部に配線など通すことができて配線を隠すことができる。そして、図６〜８のように、可動カバー２０又は側面部５ｓが可動又は着脱できるようになっておれば、それだけ配線の挿脱が簡単になる。
【００３６】
図９は、本発明の収め部材Ｃを上り框に適用した例で、この収め部材Ｃは、垂直面仕上げ材１の垂直前面１ｔを被覆する垂直面被覆部７と、垂直面被覆部７の上端から垂直面仕上げ材１の水平上面１ｓに沿って延出し、垂直面仕上げ材１の水平上面１ｓと同面に敷設された下地材１３の端部Ｐを覆うと共に下地材１３上に敷設された水平面仕上げ材２の端面２ｚに突き合せ接合される水平面被覆部５とで構成された部材本体ｂと、垂直面被覆部７と垂直面仕上げ材１の垂直前面１ｔとの間に配設される緩衝材１０とで構成されている。緩衝材１０は、垂直面被覆部７の内側面全面に設けてもよいが、ここでは垂直面被覆部７の内側面の上部と下部の２箇所に垂直面被覆部７の全長に亘って接着されている。
【００３７】
施工時は図９に示すように、上り框の垂直面仕上げ材１の垂直前面１ｔ及び水平上面１ｓとを覆うように、垂直面仕上げ材１の出隅部３ｂに収め部材Ｃを配設する。緩衝材１０は垂直前面１ｔに接着される。収め部材Ｃの水平面被覆部５は垂直面仕上げ材１の水平上面１ｓを越え、垂直面仕上げ材１の背面上端に接して敷設されている下地材１３の端部Ｐを覆う。そして、緩衝材１０を垂直面仕上げ材１の垂直前面１ｔに押圧して圧縮しつつ下地材１３上に敷設された水平面仕上げ材２の端面２ｚに収め部材Ａの水平面被覆部５の端部５ａを突き合わせ接着する。水平面仕上げ材２と水平面被覆部５の上面とは同面に仕上げられる。
【００３８】
これにより、水平面仕上げ材２が湿度や温度の変化によって伸縮したとしても緩衝材１０の働きによりこの変化が吸収され、上記突き合わせ部分に目隙が生じるようなことがない。
【００３９】
以上から、本発明では、緩衝材を用いることにより、熟練の技術を要することなく、推奨されている施工精度を実現して、施工後のフローリング材又は天井材などの水平面仕上げ材に目隙きや突き上げなどの不具合が発生しない施工が可能となる。
【符号の説明】
【００４０】
Ａ（Ａａ、Ａｂ）・Ｂ・Ｃ：収め部材、ａ・ｂ：部材本体、Ｄ：水平面被覆部の幅、Ｇ：スペース、Ｈ：緩衝材の高さ（水平面仕上げ材の厚みを越える高さ）、Ｌ：長さ、Ｐ：水平面仕上げ材の端部、Ｐｎ：ｎ番目の水平面仕上げ材の端部、ｔ(n-1)：ｎ−１番目の水平面仕上げ材の端面、ｔｎ：ｎ番目の水平面仕上げ材の端面、Ｓ：垂直面被覆部の高さ、Ｔ：水平面仕上げ材２の厚み、Ｗ：緩衝材の幅、Ｘ：挿入代、Ｗ：緩衝材に幅（推奨隙間）、１（１ａ・１ｂ）：垂直面仕上げ材、１ｓ：水平上面、１ｔ：垂直前面、２：水平面仕上げ材、２ａ：（フルサイズの）水平面仕上げ材、２ｆ：ハーフサイズの水平面仕上げ材、２(1)：最初に施工される水平面仕上げ材、２ｎ：必要サイズに切断された短寸の水平面仕上げ材、２ｔ：入隅側端部、２ｚ：端面、３ａ：入隅部、３ｂ：出隅部、５：水平面被覆部、５ａ：端部、５ｂ：基部、５ｔ：天板部、５ｓ：側面部、６：入隅部側面、７：垂直面被覆部、１０：緩衝材、１３：下地材、１４：壁面、１６：蝶番、１７：差込片、１８：固着溝、１９：固定カバー部、２０：可動カバー。
【図１】
2016142004.tif 000003
【図２】
2016142004.tif 000004
【図３】
2016142004.tif 000005
【図４】
2016142004.tif 000006
【図５】
2016142004.tif 000007
【図６】
2016142004.tif 000008
【図７】
2016142004.tif 000009
【図８】
2016142004.tif 000010
【図９】
2016142004.tif 000011